(57)【特許請求の範囲】
【請求項１】
本体と、
前記本体に固定される印刷基板と、
前記印刷基板に接続される自己保持型ソレノイドおよび構成部品を具備してなり、該自己保持型ソレノイドにパルス電流を印加することにより作動するイジェクト／ロック機構と、
を備えてなるディスク装置であって、
前記印刷基板は、前記イジェクト／ロック機構の前記構成部品を保持する保持部の機能を有しており、前記印刷基板が前記本体に固定されることに応じて、前記イジェクト／ロック機構の前記構成部品が前記印刷基板と前記本体の間に移動可能に保持される構成を特徴とするディスク装置。
【請求項２】
請求項１記載のディスク装置であって、
前記印刷基板は、前記自己保持型ソレノイドとの電気的接続がなされる面を外側にして、第１のネジにより前記本体に固定され、
前記自己保持型ソレノイドは第２のネジにより前記本体に固定されており、
前記印刷基板と前記自己保持型ソレノイドとの電気的接続を外し、前記第１のネジを外すことにより、前記自己保持型ソレノイドが前記本体に固定されたままの状態で、前記印刷基板を前記本体から取り外すことがてきるように構成されたことを特徴とするディスク装置。
【発明の詳細な説明】
【０００１】
【発明の属する技術分野】
本発明は、各種コンピュータシステムにおいてＣＤ−Ｒ／ＲＷあるいはＤＶＤ−Ｒ／ＲＷなどの光ディスクをドライブするディスク装置に関するものであり、特に、イジェクト／ロック機構を実装する際の組立作業の合理性を向上するようにしたものである。
【０００２】
【従来の技術】
一般に、パーソナルコンピュータ（以下、パソコンという）には情報の記録ならびに再生のため、光ディスクをドライブするためのディスク装置は欠かすことができず、パソコン本体に内蔵するか、いわゆる外付けとしてケーブルで接続するようにしている。
【０００３】
パソコン本体に内蔵するディスク装置はドロワ方式と呼ばれ、光ディスクを収容するドロワがスイッチ操作あるいはパソコンからの指令によりパソコン本体外へせり出し、光ディスクを装填できるようにしている。一方、ケーブルで外付けする上蓋開閉方式は、その使い勝手の良さから音楽用ＣＤ再生装置からパソコン用として広範に採用されている。
【０００４】
ところで、近年、このようなパソコン用のディスク装置では、例えば、制作したプログラムあるいはビデオ映像や音楽を編集し、その情報を光ディスクへ記録する用途が多くなっているが、このような記録情報は体系化された一連の情報であるため、光ディスクへの記録は中断されることなく完了しなければならない。ところが、光ディスクを装脱するための機構部が操作されると、情報の記録中であっても、記録動作が強制的に終了されてしまう危険性がある。
【０００５】
そこで、ドロワ方式および上蓋開閉方式のいずれの方式においても、記録動作が続行されている間は、人為的操作による光ディスクの装脱ができないようにするイジェクト／ロック機構が提案されている。これは、光ディスクの装脱が可能な状態になると、これをディスク装置内のマイクロコンピュータが判断し、イジェクトの要求にもとづいて電気的および機械的に構成されたイジェクト／ロック機構を駆動するようにしたもので、これにより記録中の人為的操作を拒絶して記録の安全性を計るようにしたものである。
【０００６】
かかる目的を達成するイジェクト／ロック機構における自己保持型ソレノイド方式は、自己保持型ソレノイドを動力源として配置し、その可動片に連動する付勢されたロックレバーなどを操作してイジェクトならびにロックを司るようにしたものであり、電動モータ方式ならびに吸引型ソレノイド方式のイジェクト／ロック機構と比較して簡素な構成であり、製作コストを低くすることができる。
【０００７】
【発明が解決しようとする課題】
このように自己保持型ソレノイド方式のイジェクト／ロック機構ではその自己保持型ソレノイドがきわめて小型であり、機構も簡素に構成できるため、省スペース、低コストならびに低消費電力の面から小型、扁平化がますます進行するパソコンのディスク装置に好適なものである。
【０００８】
しかしながら、イジェクト／ロック機構はディスク装置の狭小な部位に実装するため、その組立作業は煩瑣なものであり、精密な手作業を要求されるものであった。特に、自己保持型ソレノイドの励磁コイルへパルス電流を供給するため印刷基板と励磁コイルとのフレキシブル・プリント配線（ＦＰＣ）などによる結線は、印刷基板と励磁コイルが近接していることから、きわめて困難を伴うものであった。
【０００９】
本発明は、かかる問題を解決するためになされたものであり、印刷基板と自己保持型ソレノイドの励磁コイルの端子との煩雑な半田付け作業を一掃するようにしたもので、ディスク装置にイジェクト／ロック機構を実装する際の組立作業の合理性を向上するようにしたものである。
【００１０】
【課題を解決するための手段】
そこで本発明は、以下に述べる各手段により上記課題を解決するようにした。即ち、請求項１記載の発明では、本体と、前記本体に固定される印刷基板と、前記印刷基板に接続される自己保持型ソレノイドおよび構成部品を具備してなり、該自己保持型ソレノイドにパルス電流を印加することにより作動するイジェクト／ロック機構と、を備えてなるディスク装置であって、前記印刷基板は、前記イジェクト／ロック機構の前記構成部品を保持する保持部の機能を有しており、前記印刷基板が前記本体に固定されることに応じて、前記イジェクト／ロック機構の前記構成部品が前記印刷基板と前記本体の間に移動可能に保持される構成とする。
【００１１】
請求項２記載の発明では、上記請求項１記載のディスク装置であって、前記印刷基板は、前記自己保持型ソレノイドとの電気的接続がなされる面を外側にして、第１のネジにより前記本体に固定され、前記自己保持型ソレノイドは第２のネジにより前記本体に固定されており、前記印刷基板と前記自己保持型ソレノイドとの電気的接続を外し、前記第１のネジを外すことにより、前記自己保持型ソレノイドが前記本体に固定されたままの状態で、前記印刷基板を前記本体から取り外すことができるように構成する。
【００１２】
【発明の実施の形態】
以下、図に示す本発明の実施の形態を詳細に説明する。図１は、本発明の実施の対象とする上蓋開閉方式（ポータブル型）のディスク装置Ｄを示すもので、パソコン本体へ図示しないケーブルを接続して使用できる状態となる。このディスク装置Ｄは、本体１と、該本体に形成された記録媒体としての光ディスク（ＣＤ−Ｒ／ＲＷ、ＤＶＤ−Ｒ／ＲＷなど）を収容するディスク装填部２ならびに上蓋３とにより主体が構成され、前記ディスク装填部２の中心位置に光ディスクを回転駆動するためのターンテーブル４と、光ディスクの径方向に移動するピックアップ５が配設されている。
【００１３】
前記上蓋３には、該上蓋を本体１上面に閉止するための係止爪６が一体に形成されており、本体１の前記係止爪６の対向位置には、該係止爪６の本体内への進入を許容する通孔７が形成されている。そして、前記通孔７に対する位置の本体内部にイジェクト／ロック機構Ａが配設され、さらに、本体１内に集積回路などの電子部品が実装された印刷基板８および本体１の底部を覆う底板９が配設される。
【００１４】
図２および図３は、イジェクト／ロック機構Ａを示す斜視図であり、その駆動源となる自己保持型ソレノイド１０は一対のヨーク１０ａ、１０ｂの先端が励磁コイル１０ｃ、１０ｄの一端からほぼ中位まで挿入され、固定されている。そして、前記ヨーク１０ａ、１０ｂの端部には永久磁石１０ｅが介装されており、これにより馬蹄形の磁気回路が形成される。
【００１５】
一方、励磁コイル１０ｃ、１０ｄの他端には磁性体である可動片１０ｆの開放端部が摺動可能に挿入されている。したがって、定常状態では、前記永久磁石１０ｅにより形成されている磁気回路の磁力に前記可動片１０ｆが吸着され、保持される。そして、励磁コイル１０ｃ、１０ｄの終端の端子１０ｈ、１０ｉから直流電流を流すことにより永久磁石１０ｅにより発生している磁場とは逆の磁場を発生させ、これにより前記永久磁石１０ｅにより発生している磁場が打ち消され、可動片１０ｆの拘束が解除されるようにしている。
【００１６】
次に、イジェクト／ロック機構Ａを構成する部品である第１のスライダー１１は、その先端１１ａが前記自己保持型ソレノイド１０の可動片１０ｆの連結孔１０ｇに連結されており、可動片１０ｆに連動するようにされている。そして、第１のスライダー１１の後端には解除バネ１２の作用端１２ａが係止されており、自由端１２ｂは前記上蓋３の係止爪６に押下されたとき付勢力が発生するようにしている。
【００１７】
なお、この解除バネ１２の付勢力は前記自己保持型ソレノイド１０がその可動片１０ｆを磁気吸着している力より小さいことを要する。また、解除バネ１２の主体部分はネジ止めなどの適宜手段により支持体に固定されている。そして、前記第１のスライダー１１の主体部にはガイド孔１１ｂ、１１ｃが形成されており、後述の第２のスライダー１３と連動または該第２のスライダーが単独で動作できるようにしている。
【００１８】
次に、イジェクト／ロック機構Ａを構成する部品である第２のスライダー１３は、前記第１のスライダー１１に密接した状態で摺動可能に配設されているもので、第１のスライダー１１のガイド孔１１ｂに遊嵌するガイドピン１３ａおよび上蓋３の係止爪６に係合する係止爪１３ｂを備え、ガイド孔１３ｃ、１３ｄが形成されている。そして、側部に形成されたフック１３ｅには付勢バネ１４の一端が掛止され、他端が本体１に形成されたフック１５に掛止されており、これにより、常時、第２のスライダー１３は自己保持型ソレノイド１０の方向に付勢される。
【００１９】
このように構成した第１および第２のスライダーを図３に示すごとく、印刷基板８とともに第１のネジ１６により本体１に形成したネジ受けボス１７へ摺動可能に取り付けると、前記第２のスライダー１３のガイドピン１３ａがガイド孔１１ｂに遊嵌するとともに、本体１に形成したガイドピン１８が第２のスライダーのガイド孔１３ｃならびに第１のスライダー１１のガイド孔１１ｂに遊嵌する。また、自己保持型ソレノイド１０は、そのヨークが第２のネジ１９により本体１に形成したネジ受けボス２０に固定される。
【００２０】
次に、イジェクト／ロック機構Ａを本体１へ実装する手順について図３を参照して説明する。まず、印刷基板８に接続する前の自己保持型ソレノイド１０を第２のネジ１９により本体１に形成したネジ受けボス２０へ固定する。続いて、第１のスライダー１１、第２のスライダー１３等の部品を本体１上に配置する。この時点では、第１のスライダー１１および第２のスライダー１３は本体１に対して保持はされていない。
【００２１】
続いて、印刷基板８を、実装面を内側に、配線面を外側にして第１のネジ１６により本体１に形成したネジ受けボス１７へ固定する。これにより、印刷基板８が本体１に固定される。また、印刷基板８が本体１との間で第１のスライダー１１および第２のスライダー１３を挟持する状態となり、したがって、第１のスライダー１１および第２のスライダー１３は本体１に対して摺動可能に保持される。即ち、印刷基板８は、第１のスライダー１１および第２のスライダー１３を摺動自在に保持する保持部の機能を兼ね備えることになる。
【００２２】
以上のごとくしてイジェクト／ロック機構Ａが本体１に実装され、図４に示すごとく印刷基板８が本体１の底面に装着されると、自己保持型ソレノイド１０の端子１０ｈ、１０ｉが印刷基板８に形成した通孔８ａ、８ｂから該印刷基板の配線面に露呈する。そして、前記通孔８ａ、８ｂを囲むように予め形成されている印刷基板と前記端子１０ｈ、１０ｉとを半田付けにより結線し、励磁コイル１０ｃ、１０ｄへの電流路が構成される。このようにイジェクト／ロック機構Ａを本体へ実装した後、印刷基板を取り付けるのみで自己保持型ソレノイドの端子を印刷基板へ接続処理することが可能となるので、何ら困難な作業を伴わず配線作業を終了することができ、組立作業の合理性を向上することができる。
【００２３】
次に、組立完了後、修理などの理由により印刷基板８を取外す手順について説明する。まず、印刷基板８と端子１０ｈ、１０ｉとの半田結線を外し、印刷基板８と自己保持型ソレノイド１０を分離可能の状態にして第１のネジ１６を取外す。これにより、印刷基板８を本体１から取外すことが出来る。なお、この時、自己保持型ソレノイド１０は、第２のネジ１９により本体１に固定されたままであり、本体１から取外す必要はない。
【００２４】
なお、以上で説明した実施例は、上蓋開閉方式（ポータブル型）を対象としているが、この他、上述したように自己保持型ソレノイドを採用し、イジェクト／ロック機構を構成してドロワ方式のディスク装置への実施も容易になし得る。
【００２５】
【発明の効果】
以上、詳細に説明したごとく、本発明の請求項１記載の発明によれば、印刷基板にイジェクト／ロック機構の構成部品を保持する保持部としての機能を持たせ、この印刷基板を本体に固定することに応じて、イジェクト／ロック機構の構成部品が印刷基板と本体の間に移動可能に保持されるようにしたことにより、部品点数の削減、装置の小型化に有利となる。
【００２６】
また、請求項２記載の発明によれば、印刷基板と自己保持型ソレノイドとの電気的接続を外し、第１のネジを外すことにより、自己保持型ソレノイドが本体に固定されたままの状態で、印刷基板を本体から取り外すことができるので、修理などにより印刷基板を外すときに自己保持型ソレノイドを本体から取り外す必要がなく、作業性が良好となる。
【図面の簡単な説明】
【図１】本発明の実施の対象であるディスク装置の斜視図である。
【図２】イジェクト／ロック機構の分解斜視図である。
【図３】イジェクト／ロック機構の組立斜視図である。
【図４】ディスク装置の本体へ印刷基板を取り付けた状態を示す図である。
【符号の説明】
Ｄ・・・・・・ディスク装置
１・・・・・・本体
２・・・・・・ディスク装填部
３・・・・・・上蓋
４・・・・・・ターンテーブル
５・・・・・・ピックアップ
６・・・・・・係止爪
７・・・・・・通孔
８・・・・・・印刷基板
８ａ・・・・・通孔
８ｂ・・・・・通孔
９・・・・・・底板
１０・・・・・自己保持型ソレノイド
１０ｈ・・・・端子
１０ｉ・・・・端子
１１・・・・・第１のスライダー
１２・・・・・解除バネ
１３・・・・・第２のスライダー
【図１】
0003705172.tif 000002
【図２】
0003705172.tif 000003
【図３】
0003705172.tif 000004
【図４】
0003705172.tif 000005